(57)【要約】【課題】  省電力制御機能を利用する際に、論理アドレスの衝突を防止すると共に、不整合のないデータ通信を可能とする。【解決手段】  ネットワークに参加している通信装置と無線で直接通信を行う通信装置において、待ち受け時の省電力制御機能を開始する前に、通信相手からの信号のみ受信するようにフィルタを設定し、待ち受け時の省電力制御機能を終了させた後に、設定したフィルタを解除し、ネットワーク上の論理アドレスを再設定する。【選択図】      図１１
2006261854.tif 000002
【特許請求の範囲】
【請求項１】
通信装置であって、
通信部と、
前記通信部を省電力制御状態にする場合に、通信相手のアドレスに基づいて受信信号のフィルタ設定を行う設定手段を有することを特徴とする通信装置。
【請求項２】
前記通信部の省電力制御状態を終了する場合に、前記設定手段で設定したフィルタ設定を解除し、ネットワーク上の論理アドレスを再設定する再設定手段とを有することを特徴とする請求項１記載の通信装置。
【請求項３】
通信装置であって、
待ち受け時の省電力制御機能を開始する場合に、通信相手からの信号のみ受信するようにフィルタを設定する設定手段と、
前記待ち受け時の省電力制御機能を終了させた後に、前記設定手段で設定したフィルタを解除し、ネットワーク上の論理アドレスを再設定する再設定手段とを有することを特徴とする通信装置。
【請求項４】
前記設定手段は、前記通信相手の物理アドレスを使用し、当該物理アドレス以外の信号は破棄するフィルタを設定することを特徴とする請求項１記載の通信装置。
【請求項５】
前記設定手段は、マネージメントフレーム及びコントロールフレームと、送信元が通信相手の物理アドレスを有するデータフレームとを受信するようにフィルタを設定することを特徴とする請求項４記載の通信装置。
【請求項６】
前記物理アドレスは、無線ＬＡＮで規定されるＭＡＣアドレスであることを特徴とする請求項４又は５記載の通信装置。
【請求項７】
前記論理アドレスは、前記ネットワーク上の通信装置に割り当てられるＩＰアドレスであることを特徴とする請求項２又は３記載の通信装置。
【請求項８】
通信装置の制御方法であって、
通信部を省電力制御状態にする場合に、通信相手のアドレスに基づいて受信信号のフィルタ設定を行うことを特徴とする通信装置の制御方法。
【請求項９】
請求項８記載の通信装置の制御方法をコンピュータに実行させるためのプログラム。
【請求項１０】
請求項９記載のプログラムを記録したコンピュータ読み取り可能な記録媒体。
【発明の詳細な説明】
【技術分野】
【０００１】
本発明は、ネットワークに参加している通信装置と無線で直接通信を行う通信装置及びその制御方法に関する。
【背景技術】
【０００２】
近年、IEEE802.11b/11g/11aなどに代表されるWLAN（Wireless Local Area Network）やBluetooth（登録商標）などの無線通信技術が様々な製品に搭載されるようになり、非常に身近なものになった。これらの無線通信技術は、これまで有線で接続していた機器間を無線化し、設置場所や複雑に絡み合うケーブルなどの問題から我々を解放してくれるため、非常に有用、かつ便利である。これらの利点から、今後も無線通信技術は発展を続け、情報機器だけでなく家電なども含めたより多くの製品に搭載されていくものと考えられる。
【０００３】
無線通信装置には、消費電力を抑えるために、省電力制御機能という待ち受け時の動作電力の消費を抑える技術を備えたものがある。この省電力制御機能を簡単に説明すると、まず受信フレームが二つの期間に分かれており、第一の期間には各端末宛てのデータ配信があるかを示す通知信号が流れる。そして、第二の期間にはその結果に応じて、自分宛てのデータがある場合は受信電力を通常に保ったまま、受信データを受け取り、自分宛てのデータがない場合は受信電力を落とす。
【０００４】
このように、データ配信の通知信号と実際のデータの受信処理を分けることにより無駄な受信電力を減らすことができるというものである。
【非特許文献１】IEEE Std 802.11, 1999 Edition
【発明の開示】
【発明が解決しようとする課題】
【０００５】
IEEE802.11規格では、上述の省電力制御機能として端末のバッテリー消費量を抑制するためのパワーマネージメント機能がある。端末のパワーセーブ（省電力）モードの利用について基地局を持ったインフラストラクチャーモードへの適用は仕様で明確に決められているため、問題は生じていない。
【０００６】
しかしながら、特定の基地局を介さずにネットワーク識別子を共有して端末同士が直接通信を行うアドホックネットワークでは、ネットワークに参加している端末の省電力状態を認識する機能を有しない、或いは正確に認識できないことから、パワーセーブモードを利用すると、データが正常に受信できない場合があるなどの不具合が生じている。
【０００７】
そのため、端末Ａが待ち受け時のパワーセーブモードを有効にし、受信電力を落としている状態で端末Ａ宛てのデータが流れてくると、そのデータを受信することができない。特に、ＩＰアドレス確認のパケット（ARP Request）が流れ、そのパケットに応答できない場合には、他の端末が同一のＩＰアドレスを取得する可能性がある。
【０００８】
例えば、他の端末Ｂが同一のＩＰアドレスを取得してしまうと、端末Ａに端末Ｂ向けのデータが流れ、そのデータを端末Ａが処理することになり、端末Ａは不要なデータを受信してしまい、無駄な処理をすることになる。また、端末Ａ向けのデータに対して端末Ｂが応答してしまい、正常な通信が損なわれることも生じる。
【０００９】
本発明は上記課題を解決するためになされたもので、省電力制御機能を利用する際に、論理アドレスの衝突を防止すると共に、不整合のないデータ通信を可能とすることを目的とする。
【課題を解決するための手段】
【００１０】
本発明は、通信装置であって、通信部と、前記通信部を省電力制御状態にする場合に、通信相手のアドレスに基づいて受信信号のフィルタ設定を行う設定手段を有することを特徴とする。
【００１１】
また、本発明は、通信装置の制御方法であって、通信部を省電力制御状態にする場合に、通信相手のアドレスに基づいて受信信号のフィルタ設定を行うことを特徴とする。
【発明の効果】
【００１２】
本発明によれば、省電力制御機能を利用する際のデータ通信の不整合を防止することができる。例えば、通信相手のアドレスに基づいてフィルタ設定を行うことで論理アドレスが衝突したとしてもデータ通信の不整合を防止できる。また、上記フィルタ設定を解除する場合には、論理アドレスを再設定することで、フィルタ設定されていない状態での論理アドレスの衝突を防止でき、不整合のないデータ通信を行うことができる。
【発明を実施するための最良の形態】
【００１３】
以下、図面を参照しながら発明を実施するための最良の形態について詳細に説明する。
【００１４】
尚、実施形態では、出力装置としてのプリンタとがIEEE802.11準拠のアドホックネットワークを開設し、撮像装置としてのデジタルカメラ（以下、カメラ）がそのネットワークに参加し、省電力制御機能であるパワーセーブ（ＰＳ：省電力）モードで動作する場合を例に説明する。
【００１５】
図１は、本実施形態におけるネットワークシステムの構成の一例を示す図である。図１に示す例は、パワーセーブモードを開始する前のカメラ１０１、プリンタ１０２、カメラ１０３によって構成されるネットワーク１０４の構成である。また、ネットワーク１０４はアドホックネットワークであり、特定の基地局を介することなく端末同士が直接通信を行うものである。
【００１６】
尚、本実施形態では、パワーセーブ（ＰＳ）モードでカメラ１０１又は１０３のデータをプリンタ１０２に送信することを目的とする。
【００１７】
ここで、図２及び図３を用いて、図１に示すネットワークを構成するカメラ１０１及びプリンタ１０２の構成について説明する。図２は、本実施形態におけるカメラの構成の一例を示すブロック図である。また、図３は、本実施形態におけるプリンタの構成の一例を示すブロック図である。
【００１８】
カメラ１０１（１０３）は、図２に示すように、大きく分けて、カメラ機能部２０２と、無線モジュール２０１とに分かれている。カメラ機能部２０２は、カメラの撮影機能、ＴＣＰ／ＩＰのデータ処理機能、無線モジュール２０１のコントロール、及びデータ通信機能を備えている。また、無線モジュール２０１のコントロールは、コンパクトフラッシュ（登録商標）メモリとのインタフェースなどのメモリインタフェース２０３を利用して行う。
【００１９】
無線モジュール２０１は、IEEE802.11規格（以下、802.11規格）の無線ＬＡＮ機能であるＭＡＣ：Medium Access Control／ＰＨＹ：Physical Layer、カメラ機能部２０２とのコントロール、及びデータ通信機能を備えている。また、無線モジュール２０１は、ＭＡＣ処理部２０６とＲＦ処理部２０５とアンテナ２０４に分かれる。ＭＡＣ処理部２０６は、802.11規格の無線ＬＡＮにおけるＭＡＣ、ＰＨＹの機能、カメラ機能部２０２とのコントロール、データ通信機能、ＲＦ処理部２０５のコントロール機能を持つ。また、ＭＡＣ制御部２０６におけるＲＦ処理部２０５のコントロールは、パワー制御のインタフェース２０８と送信及び受信処理のインタフェース２０７とによって行われる。また、パケットの送信パワーはパワー制御のインタフェース２０８によって行われる。そして、ＲＦ処理部２０５は、802.11規格のＰＨＹ機能を持ち、アンテナ２０４を通してデータを送受信する。
【００２０】
次に、プリンタ１０２は、図３に示すように、大きく分けて、プリンタ機能部３０２と、無線モジュール３０１とに分かれている。プリンタ機能部３０２は、プリンタの印刷機能、ＴＣＰ／ＩＰのデータ処理機能、無線モジュール３０１のコントロール、及びデータ通信機能を持つ。また、無線モジュール３０１の構成は、カメラ１０１の無線モジュール２０１の構成と同じであり、その説明は省略する。
【００２１】
図１において、カメラ１０１がネットワーク１０４に参加する場合、図２に示すカメラ機能部２０２より無線モジュール２０１に対してネットワークに参加するコマンドを発行し、ＭＡＣ処理部２０６とＲＦ処理部２０５とによって802.11規格の無線信号を送信し、ネットワークを形成する。
【００２２】
図１に示す状態は、カメラ１０１及び１０３が共にプリンタ１０２とアクティブモードで通信を行っている状態である。ここで、カメラ１０１がプリンタ１０２とパワーセーブモードを開始する処理、及びプリンタ１０２がカメラ１０１からのパワーセーブモードの開始要求を受信した場合の処理について説明する。まず、図４を用いて、カメラ１０１においてパワーセーブモードを開始する処理について説明する。
【００２３】
図４は、カメラ側におけるパワーセーブモード開始処理を示すフローチャートである。まず、ステップＳ４０１において、カメラ１０１が上位レイヤからパワーセーブモードの開始要求を受信すると、ステップＳ４０２へ進み、パワーセーブモードの開始要求を通信相手であるプリンタ１０２へ送信する。これにより、プリンタ１０２ではカメラ１０１にパワーセーブモードの開始確認を送信する。
【００２４】
その後、ステップＳ４０３において、カメラ１０１がプリンタ１０２からパワーセーブモードの開始確認を受信すると、ステップＳ４０４へ進み、プリンタ１０２のＭＡＣアドレス以外を破棄するフィルタを設定する。具体的には、図２に示すカメラ１０１のカメラ機能部２０２が無線モジュール２０１へＭＡＣフィルタの設定コマンドを発行することで行う。そして、設定コマンドを受けたＭＡＣ処理部２０６では、通信相手であるプリンタ１０２のＭＡＣアドレスを送信元とするパケットのみがカメラ機能部２０２に送信され、それ以外のパケットを破棄するようにフィルタ処理が行われる。
【００２５】
尚、上述のフィルタ処理は、データフレームにおけるユニキャスト及びマルチキャストに対して行い、マネージメントフレーム及びコントロールフレームに関しては適用しないものとする。
【００２６】
次に、ステップＳ４０５において、アウェイク状態とドーズ状態との間を規則的に遷移するパワーセーブモードを開始する処理を行う。具体的には、カメラ１０１のカメラ機能部２０２から無線モジュール２０１へパワーセーブ機能を実行するＰＳコマンドを発行し、ＭＡＣ処理部２０６が間欠的にＲＦ処理部２０５の電流を落とす処理である。
【００２７】
これにより、図５に示すように、図１に示すネットワーク１０４とは別のネットワーク５０１がカメラ１０１とプリンタ１０２とによって形成される。
【００２８】
次に、図６を用いてプリンタ１０２において、カメラ１０１からパワーセーブモードの開始要求を受信した場合の処理について説明する。
【００２９】
図６は、プリンタ側でカメラからパワーセーブモードの開始要求を受信した場合の処理を示すフローチャートである。まず、ステップＳ６０１において、プリンタ１０２が相手（カメラ１０１）からパワーセーブモードの開始要求を受信すると、ステップＳ６０２へ進み、パワーセーブモードの開始確認をカメラ１０１へ送信する。
【００３０】
次に、ステップＳ６０３において、パワーセーブモードの開始要求をした相手（カメラ１０１）のＭＡＣアドレス以外を破棄するフィルタを設定する。具体的には、図３に示すプリンタ１０２のプリンタ機能部３０２が無線モジュール３０１へＭＡＣフィルタの設定コマンドを発行することで行う。尚、無線モジュール３０１のＭＡＣ処理部３０６の処理は、カメラ１０１のＭＡＣ処理部２０６の処理と同様である。
【００３１】
次に、ステップＳ６０４において、パワーセーブモードを実行するか否かを判定する。尚、プリンタ１０２は電源コンセントから十分な電力を供給されているため、省電力制御機能を動作させる必要はない。そのため、ステップＳ６０４のＮｏへ進み、パワーセーブモードを実行せず、そのまま処理を終了する。そして、図５に示す状態になり、プリンタ１０２はアクティブモードのまま通信を行い、カメラ１０１はパワーセーブモードへ移行して通信を行う。尚、ステップＳ６０４において、パワーセーブモードを実行すると判定した場合は、ステップＳ６０５においてパワーセーブモードへ移行して通信を行う。
【００３２】
尚、図５に示すネットワーク５０１では、双方のＭＡＣアドレス以外からのパケットを破棄するようにフィルタが設定されているので、カメラ１０１ではプリンタ１０２からのデータのみが受信され、プリンタ１０２ではカメラ１０１からのデータのみが受信されるため、それ以外の端末のデータフレームが受信されることはなくなる。
【００３３】
ここで、図７に示すように、カメラ１０１が省電力制御機能を動作させながらプリンタ１０２と通信している間に、カメラ７０１が新たにネットワーク１０４に入ってきた場合について説明する。
【００３４】
まず、カメラ７０１は、カメラ７０１と同一のＩＰアドレスを持った端末が存在しないか否かを確認するために、ARP Requestメッセージをネットワーク１０４になげる。このとき、カメラ７０１に割り当てられたＩＰアドレスはカメラ１０１と同一のものとする。カメラ７０１からのARP Requestはマルチキャストデータフレームとして送信され、そのフレームはカメラ１０１及びプリンタ１０２のＲＦ処理部２０５及びＲＦ処理部３０５がそれぞれ受信する。
【００３５】
ここで、カメラ７０１がカメラ１０１と同一のＩＰアドレスであっても、カメラ１０１及びプリンタ１０１のＭＡＣ処理部２０６及びＭＡＣ処理部３０６はネットワーク５０１へのＭＡＣフィルタにより、カメラ１０１とプリンタ１０２以外のフレームは破棄され、データの不整合などは起こらない。  
次に、図８を用いてカメラ１０１がパワーセーブモードでプリンタ１０２と通信を行いながら、プリンタ１０２からの指示に従ってパワーセーブモードからアクティブモードへ遷移する処理について説明する。
【００３６】
図８は、カメラ側におけるパワーセーブモード終了処理を示すフローチャートである。まず、ステップＳ８０１において、カメラ１０１が上位レイヤからパワーセーブモードの終了要求を受信すると、ステップＳ８０２へ進み、パワーセーブモードの終了要求を通信相手であるプリンタ１０２へ送信する。これにより、プリンタ１０２ではカメラ１０１にパワーセーブモードの終了確認を送信する。
【００３７】
その後、ステップＳ８０３において、カメラ１０１がプリンタ１０２からパワーセーブモードの終了確認を受信すると、ステップＳ８０４へ進み、パワーセーブモードで動作中か否かを判定する。ここで、パワーセーブモードで動作中であれば、ステップＳ８０５へ進み、パワーセーブモードを終了する処理を行う。具体的には、カメラ機能部２０２から無線モジュール２０１へパワーセーブモードを終了するコマンドを発行し、ＭＡＣ処理部２０６がＲＦ処理部２０５の電流を流し続けるように制御する。
【００３８】
次に、ステップＳ８０６において、ＭＡＣフィルタを解除する処理を行う。具体的には、カメラ機能部２０２が無線モジュール２０１にＭＡＣフィルタ解除コマンドを発行し、ＭＡＣ処理部２０６がプリンタ１０２のＭＡＣアドレス以外を破棄するＭＡＣフィルタを解除する。これにより、ネットワーク１０４から受信したフレームを処理可能となる。
【００３９】
次に、ステップＳ８０７において、カメラ機能部２０２にてＩＰアドレスの振り直しを行う。具体的には、ＩＰアドレスを変更し、ARP Requestメッセージにてネットワーク上に同一ＩＰアドレスが存在しないか否かを確認する。ここで、同一ＩＰアドレスの端末が存在しない場合は、そのＩＰアドレスを新しいＩＰアドレスとして利用する。また、同一ＩＰアドレスの端末が存在する場合は、再度ＩＰアドレスを変更する。そして、同一ＩＰアドレスの端末が存在しなくなるまで、上述のＩＰアドレスの変更を繰り返す。
【００４０】
次に、図９を用いてプリンタ１０２において、カメラ１０１からパワーセーブモードの終了要求を受信した場合の処理について説明する。
【００４１】
図９は、プリンタ側でカメラからパワーセーブモードの開始要求を受信した場合の処理を示すフローチャートである。まず、ステップＳ９０１において、プリンタ１０２が相手（カメラ１０１）からパワーセーブモードの終了要求を受信すると、ステップＳ９０２へ進み、パワーセーブモードの終了確認をカメラ１０１へ送信する。
【００４２】
その後、ステップＳ９０３において、パワーセーブモードで動作中か否かを判定する。ここで、パワーセーブモードで動作中であれば、ステップＳ９０４へ進み、パワーセーブモードを終了する処理を行う。具体的には、プリンタ機能部３０２から無線モジュール３０１へパワーセーブモードを終了するコマンドを発行し、ＭＡＣ処理部３０６がＲＦ処理部３０５の電流を流し続けるように制御する。
【００４３】
次に、ステップＳ９０５において、ＭＡＣフィルタを解除する処理を行う。具体的には、プリンタ機能部３０２が無線モジュール３０１にＭＡＣフィルタ解除コマンドを発行し、ＭＡＣ処理部３０６がプリンタ１０２のＭＡＣアドレス以外を破棄するＭＡＣフィルタを解除する。これにより、ネットワーク１０４から受信したフレームを処理可能となる。
【００４４】
次に、ステップＳ９０６において、プリンタ機能部３０２にてＩＰアドレスの振り直しを行う。この処理は、カメラ機能部２０２の処理と同様であり、その説明は省略する。
【００４５】
これにより、図１０に示すように、カメラ１０１、プリンタ１０２及びカメラ７０１が同じネットワーク１０４に参加することになるが、既にカメラ１０１とプリンタ１０２はＩＰアドレスの振り直しを行っているので、パワーセーブモードで動作中にネットワーク１０４に参加してきたカメラ７０１とＩＰアドレスが衝突することなく、データの不整合のないデータ通信を行うことができる。
【００４６】
次に、図１１を用いて、上述したカメラ１０１がプリンタ１０２との間でパワーセーブモードを開始し、パワーセーブモードでデータ通信を行い、その後、パワーセーブモードを終了するまでのシーケンスについて説明する。
【００４７】
尚、ここでは、既にプリンタ１０２がアドホックネットワークを開設しており、カメラ１０１がアドホックネットワークに参加し、パワーセーブモードでデータ通信を行う場合を例に説明する。また、アドホックネットワークにおけるパワーセーブについては公知のATIM（Announcement Traffic Indication Message）を使用するものであり、その説明は省略する。
【００４８】
図１１は、本実施形態におけるパワーセーブモードの開始から終了までのシーケンスを示す図である。まずパワーセーブモードの開始要求１１０１がカメラ１０１からプリンタ１０２へ送信されると、これを受けてパワーセーブモードの開始確認１１０２がプリンタ１０２からカメラ１０１へ送信される。ここで、カメラ１０１及びプリンタ１０２の双方でＭＡＣフィルタの設定処理１１０３、１１０４がそれぞれ行われる。
【００４９】
その後、カメラ１０１はパワーセーブモードに遷移する処理を実行１１０５し、データ通信１１０６がプリンタ１０２との間で開始される。このデータ通信１１０６は、カメラ１０１で撮影した画像データのファイルをプリンタ１０２へ転送するものである。
【００５０】
このデータ通信が終了すると、パワーセーブモードの終了要求１１０７がカメラ１０１からプリンタ１０２へ送信される。これを受けてパワーセーブモードの終了確認１１０８がプリンタ１０２からカメラ１０１へ送信される。これにより、カメラ１０１は、パワーセーブモードを終了する処理を実行１１０９し、アクティブモードへ遷移する。
【００５１】
そして、カメラ１０１及びプリンタ１０２の双方でＭＡＣフィルタの解除処理１１１０、１１１２と、ＩＰアドレスの振り直し処理１１１１、１１１３がそれぞれ行われる。
【００５２】
以上説明した実施形態によれば、特定の基地局を介することなく端末同士が直接通信を行うアドホックネットワークにおいて、省電力制御機能を利用する際に、ＩＰアドレスの衝突を防止し、不整合のないデータ通信を保証することができる。
【００５３】
また、ＭＡＣフィルタは通信を行う上で既存のアドレスを利用するもので、暗号鍵変更のように双方で鍵変更の手順を決める必要がなく、実装も容易となる。
【００５４】
尚、本発明は複数の機器（例えば、ホストコンピュータ，インターフェース機器，リーダ，プリンタなど）から構成されるシステムに適用しても、１つの機器からなる装置（例えば、複写機，ファクシミリ装置など）に適用しても良い。
【００５５】
また、本発明の目的は前述した実施形態の機能を実現するソフトウェアのプログラムコードを記録した記録媒体を、システム或いは装置に供給し、そのシステム或いは装置のコンピュータ（ＣＰＵ若しくはＭＰＵ）が記録媒体に格納されたプログラムコードを読出し実行することによっても、達成されることは言うまでもない。
【００５６】
この場合、記録媒体から読出されたプログラムコード自体が前述した実施形態の機能を実現することになり、そのプログラムコードを記憶した記録媒体は本発明を構成することになる。
【００５７】
このプログラムコードを供給するための記録媒体としては、例えばフロッピー（登録商標）ディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００５８】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部又は全部を行い、その処理によって前述した実施形態の機能が実現される場合も含まれることは言うまでもない。
【００５９】
更に、記録媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部又は全部を行い、その処理によって前述した実施形態の機能が実現される場合も含まれることは言うまでもない。
【図面の簡単な説明】
【００６０】
【図１】本実施形態におけるネットワークシステムの構成の一例を示す図である。
【図２】本実施形態におけるカメラの構成の一例を示すブロック図である。
【図３】本実施形態におけるプリンタの構成の一例を示すブロック図である。
【図４】カメラ側におけるパワーセーブモード開始処理を示すフローチャートである。
【図５】カメラ１０１とプリンタ１０２とによって形成されるネットワークを示す図である。
【図６】プリンタ側でカメラからパワーセーブモードの開始要求を受信した場合の処理を示すフローチャートである。
【図７】カメラ１０１が省電力制御機能を動作させながらプリンタ１０２と通信中に、カメラ７０１が新たにネットワーク１０４に入ってきた状態を示す図である。
【図８】カメラ側におけるパワーセーブモード終了処理を示すフローチャートである。
【図９】プリンタ側でカメラからパワーセーブモードの開始要求を受信した場合の処理を示すフローチャートである。
【図１０】新たにネットワーク１０４に参加したカメラ７０１とのデータ通信を示す図である。
【図１１】本実施形態におけるパワーセーブモードの開始から終了までのシーケンスを示す図である。
【図１】
2006261854.tif 000003
【図２】
2006261854.tif 000004
【図３】
2006261854.tif 000005
【図４】
2006261854.tif 000006
【図５】
2006261854.tif 000007
【図６】
2006261854.tif 000008
【図７】
2006261854.tif 000009
【図８】
2006261854.tif 000010
【図９】
2006261854.tif 000011
【図１０】
2006261854.tif 000012
【図１１】
2006261854.tif 000013